(57)【要約】【課題】ユーザと端末の距離に応じて、操作性よく表示画面の視認性を向上させる携帯端末装置を提供する。【解決手段】所定のデータを表示する表示手段２３と、表示手段２３に表示された所定のデータのズーム倍率を制御するズーム倍率制御手段と、表示手段２３を視認するユーザと表示手段との距離に関する情報を測定して測定値情報を取得する取得手段と、表示手段２３を視認するユーザと表示手段２３との距離に関する基準値情報を記憶する記憶手段と、ユーザにより表示手段２３に表示された所定のデータが視認されている際に、取得手段により取得された測定値情報と、基準値情報とを比較し差異量を取得する差異量取得手段とを備える。ズーム倍率制御手段は、差異量取得手段により取得された差異量に応じて所定のデータのズーム倍率を制御する。【選択図】  図６
2010161724.tif 000002
【特許請求の範囲】
【請求項１】
所定のデータを表示する表示手段と、
前記表示手段に表示された前記所定のデータのズーム倍率を制御するズーム倍率制御手段と、
前記表示手段を視認するユーザと前記表示手段との距離に関する情報を測定して測定値情報を取得する取得手段と、
前記表示手段を視認するユーザと前記表示手段との距離に関する基準値情報を記憶する記憶手段と、
前記ユーザにより前記表示手段に表示された前記所定のデータが視認されている際に、前記取得手段により取得された前記測定値情報と、前記基準値情報とを比較し差異量を取得する差異量取得手段とを備え、
前記ズーム倍率制御手段は、前記差異量取得手段により取得された前記差異量に応じて前記所定のデータのズーム倍率を制御することを特徴とする携帯端末装置。
【請求項２】
前記差異量とズーム倍率とが関連付けられたテーブルを有する複数のモードの中から一のモードを設定するモード設定手段をさらに備え、
前記ズーム倍率制御手段は、前記モード設定手段により設定された前記モードのテーブルを参照し、前記所定のデータのズーム倍率を制御する請求項１記載の携帯端末装置。
【請求項３】
前記ズーム倍率制御手段は、前記表示手段に表示された前記所定のデータにおける、フォーカスされている位置を中心にして前記所定のデータのズーム倍率を制御する請求項１記載の携帯端末装置。
【請求項４】
前記表示手段に、ユーザの映像データを表示するユーザ映像表示領域と、通話相手の映像データを表示する通話相手映像表示領域とを設けて通話を行うテレビ電話手段をさらに備え、
前記ズーム倍率制御手段は、前記テレビ電話手段の実行中においては、ユーザ映像表示領域のズーム倍率は維持し、前記通話相手映像表示領域に表示された前記映像データのズーム倍率を制御する請求項１記載の携帯端末装置。
【請求項５】
前記表示手段を視認するユーザの顔を撮影する撮影手段をさらに備え、
前記測定値情報および基準値情報は、前記撮影手段により撮影された前記ユーザの顔の輪郭周に関する情報であり、
前記差異量取得手段は、前記測定値情報と基準値情報の比を差異量として取得する請求項１記載の携帯端末装置。
【請求項６】
前記差異量は、飛び値として設定されていることを特徴とする請求項５記載の携帯端末装置。
【請求項７】
前記表示手段のバックライト照度レベルを制御する照度レベル制御手段をさらに備え、
前記照度レベル制御手段は、前記差異量取得手段により取得された前記差異量に応じて前記表示手段のバックライト照度レベルを制御する請求項１記載の携帯端末装置。
【請求項８】
音声出力手段と、
前記音声出力手段の音量出力レベルを制御する音量出力レベル制御手段をさらに備え、
前記音量出力レベル制御手段は、前記差異量取得手段により取得された前記差異量に応じて前記音声出力手段の音量出力レベルを制御する請求項１記載の携帯端末装置。
【発明の詳細な説明】
【技術分野】
【０００１】
本発明は、携帯端末装置に係り、特にディスプレイを視認する際の操作性を向上させた携帯端末装置に関する。
【背景技術】
【０００２】
近年、携帯電話機などの携帯端末装置は、音声通話機能のみならず、テレビ電話機能、電子メール機能、インターネット閲覧機能、ワンセグ放送視聴機能など、ディスプレイを介して種々の機能を利用することができるものが知られるようになった。
【０００３】
従来、携帯端末装置とユーザとの距離とを利用することで、操作性を向上させる技術が知られている。例えば、映像音声通信モード時、装置とユーザとの顔との距離にかかわらず良好な集音や通知を行うことができる映像通信装置が開示されている（例えば特許文献１参照）。また、操作キーによらず、使用者が顔面などを携帯電話に近づいた、または遠ざかったかによって通信モードを自動的に切替える携帯電話機が開示されている（例えば特許文献２参照）。
【先行技術文献】
【特許文献】
【０００４】
【特許文献１】特開２００４−４０４９１号公報
【特許文献２】特開２００７−２２８３５１号公報
【発明の概要】
【発明が解決しようとする課題】
【０００５】
ユーザは携帯端末装置のディスプレイを視認する際、片手または両手を用いて、視認しやすい位置で携帯端末装置の保持を行う。ここで、ユーザの視力や周囲環境などの影響を受けることにより、ディスプレイの表示が見にくい場合が発生しうる。また、このとき、ユーザは携帯端末装置を保持する位置をユーザの目（顔）の位置から遠ざけたり、近づけたりすることにより、視認状況を改善する場合がある。
【０００６】
一方、ディスプレイに表示されたテキストや映像などのデータのズーム倍率を変更操作可能な機能を備えた携帯端末装置が考えられる。この様な機能を備えた携帯端末装置においては、ユーザはディスプレイの表示が見にくい場合、所定の操作入力を行うことに表示されたデータのズーム倍率を変更して、視認状況を改善することもできる。しかし、ユーザの所望するズーム倍率まで変更させる操作入力が必要となり、煩雑さが感じられる。
【０００７】
特許文献１および２では、ユーザと携帯端末装置との距離を利用して、使い勝手や操作性を向上させる技術が開示されている。しかし、ディスプレイの表示の視認状況から発生するユーザの動作に応じて好適に画面を制御することができる技術は開示されていなかった。
【０００８】
本発明はこのような事情を考慮してなされたもので、ユーザと端末の距離に応じて、操作性よく表示画面の視認性を向上させる携帯端末装置を提供することを目的とする。
【課題を解決するための手段】
【０００９】
本発明に係る携帯端末装置は、所定のデータを表示する表示手段と、前記表示手段に表示された前記所定のデータのズーム倍率を制御するズーム倍率制御手段と、前記表示手段を視認するユーザと前記表示手段との距離に関する情報を測定して測定値情報を取得する取得手段と、前記表示手段を視認するユーザと前記表示手段との距離に関する基準値情報を記憶する記憶手段と、前記ユーザにより前記表示手段に表示された前記所定のデータが視認されている際に、前記取得手段により取得された前記測定値情報と、前記基準値情報とを比較し差異量を取得する差異量取得手段とを備え、前記ズーム倍率制御手段は、前記差異量取得手段により取得された前記差異量に応じて前記所定のデータのズーム倍率を制御することを特徴とする。
【発明の効果】
【００１０】
本発明に係る携帯端末装置は、ユーザと端末の距離に応じて、操作性よく表示画面の視認性を向上させることができる。
【図面の簡単な説明】
【００１１】
【図１】本発明に係る携帯端末装置の一例である折り畳み式の携帯電話機の外観の構成を示す図。
【図２】本発明に係る携帯端末装置の一例である折り畳み式の携帯電話機の他の外観の構成を示す図。
【図３】本実施形態における携帯電話機の内部の構成を示す図。
【図４】本実施形態における携帯電話機の制御部により実行される基準値情報設定処理を説明するフローチャート。
【図５】本実施形態における携帯電話機の制御部により実行されるズーム倍率制御処理を説明するフローチャート。
【図６】現在のシーンがテレビ電話機能実行中であると判定された場合のズーム倍率制御例を説明する遷移図。
【図７】現在のシーンがインターネット閲覧機能実行中であると判定された場合のズーム倍率制御例を説明する遷移図。
【図８】ズーム倍率制御処理において設定可能なズームモードが有するテーブルの一例を示す図。
【発明を実施するための形態】
【００１２】
本発明に係る携帯端末装置の実施形態を添付図面に基づいて説明する。
【００１３】
図１は、本発明に係る携帯端末装置の一例である折り畳み式の携帯電話機１の外観の構成を示す図である。図１（Ａ）は、携帯電話機１を約１８０度に開いた開状態のときの正面から見た外観の構成を示し、図１（Ｂ）は、携帯電話機１を開状態としたときの側面から見た外観の構成を示す。
【００１４】
図１（Ａ）および（Ｂ）に示されるように、携帯電話機１は、中央のヒンジ部１１を境に第一の筐体１２と第二の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１５】
第一の筐体１２には、その表面に操作キー１４が設けられる。操作キー１４は、特に、「０」から「９」の数字や「あ」行から「わ」行のかな、「Ａ」から「Ｚ」のアルファベットの入力が可能な数字キー１５や、上下左右方向キーを備えた十字キー１６、確定キー１７、左ソフトキー１８、右ソフトキー１９などで構成される。
【００１６】
十字キー１６は、上下左右方向に操作されることによりメインディスプレイ２３に表示されたカーソルなどを上下左右方向に移動させることができる。また、確定キー１７が押下されることにより、種々の処理の確定処理が実行される。確定キー１７には、メインディスプレイ２３の下部に設けられた確定キー機能表示部２３ａに表示される処理も割り当てられる。
【００１７】
さらに、第一の筐体１２の十字キー１６および確定キー１７の上部には、左ソフトキー１８および右ソフトキー１９が設けられる。第一の筐体１２の側面には、携帯電話機１の操作を行うサイドキー２０が設けられる。左ソフトキー１８、右ソフトキー１９およびサイドキー２０は、第一の筐体１２の内部方向に押下されることによって、それぞれ所定の処理が割り当てられている。特に左ソフトキー１８および右ソフトキー１９は、メインディスプレイ２３の下部に設けられた左ソフトキー機能表示部２３ｂおよび右ソフトキー機能表示部２３ｃに表示される処理が割り当てられる。
【００１８】
第一の筐体１２には、操作キー１４の下部にマイクロフォン２４が設けられており、マイクロフォン２４によって通話時のユーザの音声を集音する。
【００１９】
なお、第一の筐体１２は、背面側に図示しないバッテリパックが挿着されており、終話・電源キーが押下されてオン状態になると、バッテリパックから各回路部に対して電力が供給されて動作可能な状態に起動する。
【００２０】
一方、第二の筐体１３には、その大部分の面積を占めるメインディスプレイ２３が設けられており、電波の受信状態、電池残量の他、電子メールの内容、簡易ホームページなどを表示することができる。なお、メインディスプレイ２３は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬディスプレイにより構成されるディスプレイである。メインディスプレイ２３は、表示手段として機能する。
【００２１】
第二の筐体１３のメインディスプレイ２３の上部の所定の位置にはレシーバ（受話器）２５が設けられており、これにより、ユーザは音声通話することが可能である。なお、携帯電話機１の所定の位置には、レシーバ２５以外の音声出力部としてのスピーカ（図３のスピーカ４６）も設けられている。さらに、第二の筐体１３のレシーバ２５上部には、内部ＣＣＤカメラ２６が設けられており、これにより、所望の撮影対象を撮影することができる。
【００２２】
図２は、本発明に係る携帯端末装置の一例である折り畳み式の携帯電話機１の他の外観の構成を示す図である。図２の携帯電話機１は、図１の携帯電話機１の状態から矢印Ｘ方向に回動させた閉状態を構成する。図２（Ａ）は、携帯電話機１が閉状態のときの正面から見た外観の構成を示し、図２（Ｂ）は、携帯電話機１が閉状態のときの側面から見た外観の構成を示す。
【００２３】
第二の筐体１３の上部には、外部ＣＣＤカメラ２７が設けられており、これにより、所望の撮影対象を撮影することができる。本実施形態における内部ＣＣＤカメラ２６は撮影手段として機能する。外部ＣＣＤカメラ２７の下部には、例えばＬＣＤで構成されるサブディスプレイ２８が設けられており、現在のアンテナの感度のレベルを示すアンテナピクト、携帯電話機１の現在の電池残量を示す電池ピクト、現在の時刻などが表示される。
【００２４】
図３は、本実施形態における携帯電話機１の内部の構成を示す図である。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２５】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２６】
圧縮伸張処理部３７は、ＤＳＰ（Ｄｉｇｉｔａｌ  Ｓｉｇｎａｌ  Ｐｒｏｃｅｓｓｏｒ）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２７】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ２５やスピーカ４６により出力される。
【００２８】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ２３に表示させる。なお、制御部４１は、受信された動画像データだけでなく、ＣＣＤカメラ２６、２７（内部ＣＣＤカメラ２６、外部ＣＣＤカメラ２７）により撮像された動画像データに関しても、図示せぬビデオＲＡＭを介してメインディスプレイ２３に表示させることも可能である。
【００２９】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ２３に表示させる。
【００３０】
一方、通話モードにおいて、マイクロフォン２４に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２６、２７から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３１】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３２】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Ｑｕａｄｒａｔｕｒｅ  Ｐｈａｓｅ  Ｓｈｉｆｔ  Ｋｅｙｉｎｇ）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。また、携帯電話機１には、現在の正確な時刻や所定の時間を測定する時計回路４５が設けられている。
【００３３】
制御部４１は、ＣＰＵ（ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。また、制御部４１はビデオＲＡＭも備え、メインディスプレイ２３に表示される映像に関する情報が一時的に格納される。
【００３４】
記憶部４２は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなり、制御部４１のＣＰＵにより実行される種々のアプリケーションプログラムや種々のデータ群を格納している。電源回路４４は、バッテリ４３の出力を基に所定の動作電源電圧Ｖｃｃを生成して各回路部に供給する。
【００３５】
ワンセグ放送受信部４８は、図示せぬ放送局からの地上波ディジタルワンセグ放送波や地上波ディジタルラジオ放送波を受信し、受信された地上波ディジタルワンセグ放送波や地上波ディジタルラジオ放送波に基づくＴＳ（Ｔｒａｎｓｐｏｒｔ  Ｓｔｒｅａｍ）信号をワンセグ処理部４９に供給する。ワンセグ処理部４９は、ワンセグ放送受信部４８にて地上波ディジタルワンセグ放送波が受信された場合、ワンセグ放送受信部４８から供給された地上波ディジタルワンセグ放送波に基づくＴＳ信号から、音声データと映像データに関するＥＳ（Ｅｌｅｍｅｎｔａｒｙ  Ｓｔｒｅａｍ）にそれぞれ分離し、分離された音声データをワンセグ処理部４９内の音声デコーダ（図示せず）にて所定の復号化方式でデコードするとともに、分離された映像データをワンセグ処理部４９内の映像デコーダ（図示せず）にて所定の復号化方式でデコードし、デコード後のディジタル音声信号とディジタル動画像信号を制御部４１に供給する。
【００３６】
本実施形態における携帯電話機１は、メインディスプレイ２３とユーザの顔との距離に応じて、メインディスプレイ２３に表示されているテキストや映像などのデータのズーム倍率を自動で制御することができるようになっている。以下、具体的なズーム倍率制御処理について説明する。
【００３７】
まず、ズーム倍率制御処理の前提となる基準値情報設定処理について説明する。
【００３８】
図４は、本実施形態における携帯電話機１の制御部４１により実行される基準値情報設定処理を説明するフローチャートである。
【００３９】
ステップＳ１において、制御部４１は、基準値情報設定処理を開始する指示を受け付ける。ステップＳ２において、制御部４１は、撮影手段としての内部ＣＣＤカメラ２６を起動する。ステップＳ３において、制御部４１は、携帯電話機１のユーザに対し、通常使用時の位置で携帯電話機１を保持することを促す旨を通知する。例えば、制御部４１は、「通常使用時の位置で端末を持ってください」などの記述が表示されたポップアップをメインディスプレイ２３に表示させることで、通知を行う。ユーザは、この通知を受けることにより、通常使用時の位置で携帯電話機１を保持し、制御部４１は、内部ＣＣＤカメラ２６からユーザの顔の輪郭を撮影した画像データの供給を受けることが可能となる。
【００４０】
ステップＳ４において、制御部４１は、内部ＣＣＤカメラ２６で撮影された画像から、メインディスプレイ２３を視認するユーザの顔の輪郭周が判断できるか否かの判断を行う。制御部４１は、ユーザの顔の輪郭周が判断できないと判定した場合、処理は通知ステップＳ３に戻り、再度通知処理を行う。
【００４１】
一方、制御部４１は、ユーザの顔の輪郭周が判断できると判定した場合、ステップＳ５において、内部ＣＣＤカメラ２６で撮影された画像からユーザの顔の輪郭周を測定し、この輪郭周を基準値情報として取得する。ステップＳ６において、制御部４１は、取得した基準値情報を記憶部４２などに記憶して登録を行う。以上で基準値情報設定処理を終了する。
【００４２】
次に、基準値情報設定処理で設定された基準値情報をもとに実行される、ズーム倍率制御処理について説明する。
【００４３】
図５は、本実施形態における携帯電話機１の制御部４１により実行されるズーム倍率制御処理を説明するフローチャートである。ズーム倍率制御処理は、メインディスプレイ２３にテキストや映像などのデータが表示されている際に実行される処理である。具体的には、携帯電話機１でテレビ電話機能、電子メール機能、インターネット閲覧機能、ワンセグ放送視聴機能など、画像閲覧機能、動画閲覧機能などの各機能が実行されている場合において、メインディスプレイ２３に表示されたテキストや映像などのデータが表示されている場合に実行される。
【００４４】
ステップＳ１１において、制御部４１は、ズーム倍率制御モードがオンに設定されているか否かの判定を行う。携帯電話機１は、ズーム倍率制御モードのオン・オフの設定を、例えばメニュー画面やサブメニュー画面などから受け付けるようになっている。制御部４１は、ズーム倍率制御モードがオフに設定されていると判定した場合、オンに設定されるまで処理を待機する。
【００４５】
制御部４１は、ズーム倍率制御モードがオンになっていると判定した場合、ステップＳ１２において、内部ＣＣＤカメラ２６を起動する。この後、制御部４１は、携帯電話機１を保持しメインディスプレイ２３に表示されたテキストや映像などのデータを視認中であるユーザの、顔の輪郭を撮影した画像データの供給を受けることが可能となる。
【００４６】
ステップＳ１３において、制御部４１は、内部ＣＣＤカメラ２６で撮影された画像から、メインディスプレイ２３を視認するユーザの顔の輪郭周が判断できるか否かの判断を行う。制御部４１は、ユーザの顔の輪郭周が判断できないと判定した場合、ユーザの顔の輪郭周が判断できるまで待機する。
【００４７】
一方、制御部４１は、ユーザの顔の輪郭周が判断できると判定した場合、ステップＳ１４において、ユーザの顔の輪郭周を測定し、測定値情報として取得する。制御部４１は、ステップＳ１４においては、メインディスプレイ２３を視認するユーザと、メインディスプレイ２３との距離に関する情報に、測定されたユーザの顔の輪郭周を用い、測定値情報として取得する。
【００４８】
ステップＳ１５において、制御部４１は、測定値情報取得ステップＳ１４において取得した測定値情報と、図４の基準値情報設定処理の基準値情報登録ステップＳ６において記憶部４２などに記憶された基準値情報とを比較し、差異量を取得する。制御部４１は、ユーザの顔の輪郭周に関する情報である、測定値情報と基準値情報から輪郭周の比（測定値情報の輪郭周／基準値情報の輪郭周）を、差異量として取得する。
【００４９】
ステップＳ１６において、制御部４１は、現在実行中の機能（シーン）の判定を行う。制御部４１は、現在のシーンに応じて、後述するズーム倍率制御ステップＳ１９においては異なるズーム倍率制御を行うようになっている。
【００５０】
ステップＳ１７において、制御部４１は、ズーム倍率制御のうち、現在設定されているズームモードの判定を行う。ズームモードには一または複数のモードがある。これらのズームモードは、それぞれ測定値情報と基準値情報との差異量と、少なくともズーム倍率とが関連付けられたテーブルを有している。ステップＳ１８において、制御部４１は、判定されたズームモードが有するテーブルを参照する。制御部４１は、該当するズームモードのテーブルのうち、差異量取得ステップＳ１５において取得された差異量に関連付けられたズーム倍率などを参照する。ズームモードおよびズームモードが有するテーブルの詳細な説明については後述する。
【００５１】
ステップＳ１９において、制御部４１は、テーブル参照ステップＳ１８において参照したズーム倍率に応じて、メインディスプレイ２３に表示されたテキストや映像などのデータのズーム倍率などを制御する。このとき、制御部４１は、シーン判定ステップＳ１６で判定された現在のシーンに応じて、各シーンに適した異なるズーム倍率制御を行う。
【００５２】
図６は、現在のシーンがテレビ電話機能実行中であると判定された場合のズーム倍率制御例を説明する遷移図である。制御部４１は、現在テレビ電話機能が実行されていると判定した場合、メインディスプレイ２３に表示された全ての映像データのズーム倍率を制御するのではなく、図６に示すように、携帯電話機１のユーザの映像データが表示されたユーザ映像表示領域５１のズーム倍率は維持し、通話相手の映像データが表示された通話相手映像表示領域５２に表示された映像データのみズーム倍率を制御する。このように制御することで、携帯電話機１のユーザの映像が表示されているユーザ映像表示領域５１が隠れることを避けることができる。
【００５３】
図７は、現在のシーンが、インターネット閲覧機能実行中であると判定された場合のズーム倍率制御例を説明する遷移図である。制御部４１は、現在インターネット閲覧機能が実行されていると判定した場合、メインディスプレイ２３に表示されたＷｅｂページのうち、フォーカスされている位置を中心にして、Ｗｅｂページのズーム倍率を制御する。フォーカスされている位置は、例えばカーソル５３が当てられている位置が該当する。図７に示す遷移例は、インターネット閲覧機能実行中であるシーンの他にも、電子メール機能など、メインディスプレイ２３に表示されたデータのフォーカスの位置が判定される場合には適用される。
【００５４】
また、フォーカスの位置が判定できないその他のシーンにおけるズーム倍率制御処理においては、メインディスプレイ２３に表示されたデータの中心位置を中心にして、データのフォーカスを行うことができる。
【００５５】
ステップＳ２０において、制御部４１は、ズーム倍率制御モードがオフに設定されたか否かの判定を行う。制御部４１は、ズーム倍率制御モードがオフに設定されたと判定した場合、ズーム倍率制御処理を終了する。一方、制御部４１は、ズーム倍率制御モードが依然としてオンに設定されていると判定した場合、処理は測定値情報取得ステップＳ１４に戻り、ズーム倍率制御モードがオフに設定されたと判定するまで以降の処理を繰り返す。以上でズーム倍率制御処理の説明を終了する。
【００５６】
図８は、ズーム倍率制御処理において設定可能なズームモードが有するテーブルの一例を示す図である。図８（Ａ）は、スタンダードモードのテーブル、（Ｂ）は、２倍モードのテーブル、（Ｃ）は、老眼モードのテーブルの一例を示す図である。
【００５７】
各ズームモードのテーブルには、測定値情報の輪郭周と基準値情報の輪郭周との比である、差異量としての「測定値／基準値」と、メインディスプレイ２３に表示されたデータのズーム倍率である「ズーム倍率」とが関連付けられて記憶されている。また、各ズームモードのテーブルの各差異量には、メインディスプレイ２３のバックライト照度レベルを示す「バックライト照度」と、メインディスプレイ２３におけるデータの表示と共にスピーカ４６より出力される音声レベルの出力を示す「スピーカ音量出力」とについても関連付けられて記憶されている。なお、テーブルには「ズーム倍率」のみならず、「バックライト照度」と「スピーカ音量出力」についても記憶されているが、「ズーム倍率」のみがテーブルに記憶されていてもよい。
【００５８】
なお、差異量としての「測定値／基準値」は飛び値として設定されている。このため、測定値情報の輪郭周と基準値情報の輪郭周との比が、図８に記載された各値（・・・１／４、１／２、１、２、４・・・）と一致しない値であった場合には、測定値情報の輪郭周と基準値情報の輪郭周との比を、最も近い小さい値に当たる「測定値／基準値」として扱い、この「測定値／基準値」と関連付けられた「ズーム倍率」、「バックライト照度」、「スピーカ音量出力」の値を参照するものとする。
【００５９】
例えば、測定値情報の輪郭周と基準値情報の輪郭周との比が「３．５」であった場合には、測定値情報の輪郭周と基準値情報の輪郭周との比を最も近い小さい値に当たる「２」として扱う。また、測定値情報の輪郭周と基準値情報の輪郭周との比が「１／３」であった場合には、測定値情報の輪郭周と基準値情報の輪郭周との比を最も近い小さい値に当たる「１／４」として扱う。
【００６０】
もちろん、測定値情報の輪郭周と基準値情報の輪郭周との比を、最も近い大きい値に当たる「測定値／基準値」として扱っても、他の方法を採用してもよい。
【００６１】
図８（Ａ）に示すテーブルを有するスタンダードモードでは、測定値情報と基準値情報の比率が２、４になるにつれ、すなわちユーザの顔がメインディスプレイ２３に近づくにつれ、ズーム倍率がそれぞれ４倍、８倍となるように設定されている。また、メインディスプレイ２３のバックライト照度レベルおよびスピーカ４６の音量出力レベルについては、測定値情報と基準値情報の比率が２、４になるにつれ、現在の設定レベルからそれぞれ１レベル、２レベル上昇させる。また、測定値情報と基準値情報の比率が１／２、１／４になるにつれ、すなわちユーザの顔がメインディスプレイ２３から遠くなるにつれ、ズーム倍率が１／４倍、１／８倍となるように設定されている。また、メインディスプレイ２３のバックライト照度レベルおよびスピーカ４６の音量出力レベルについては、測定値情報と基準値情報の比率が１／２、１／４になるにつれ、現在の設定レベルからそれぞれ１レベル、２レベル低下させるようになっている。
【００６２】
図８（Ｂ）に示すテーブルを有する２倍モードは、測定値情報と基準値情報の比率に応じたズーム倍率が、スタンダードモードに対してそれぞれ２倍に制御されるようになっている。また、メインディスプレイ２３のバックライト照度レベルとスピーカ４６の音量出力についても、スタンダードモードに対して上昇率および低下率が大きくなっている。
【００６３】
２倍モードでは、測定値情報と基準値情報の比率が２、４になるにつれ、ズーム倍率がそれぞれ８倍、１６倍となるように設定されている。また、メインディスプレイ２３のバックライト照度レベルおよびスピーカ４６の音量出力レベルについては、測定値情報と基準値情報の比率が２、４になると、現在の設定レベルからそれぞれ２レベル上昇させるようになっている。また、測定値情報と基準値情報の比率が１／２、１／４になるにつれ、すなわちユーザの顔がメインディスプレイ２３から遠くなるにつれ、ズーム倍率が１／８倍、１／１６倍となるように設定されている。また、メインディスプレイ２３のバックライト照度レベルおよびスピーカ４６の音量出力レベルについては、測定値情報と基準値情報の比率が１／２、１／４になると、現在の設定レベルからそれぞれ２レベル低下させるようになっている。
【００６４】
この２倍モードは、ユーザの顔とメインディスプレイ２３との距離の変化に応じて、ズーム倍率、メインディスプレイ２３のバックライト照度レベル、スピーカ４６の音量出力レベルの制御率を（スタンダードモードに比べて）大きく変化させたいと望むユーザにとっては有効なモードである。
【００６５】
図８（Ｃ）に示すテーブルを有する老眼モードは、測定値情報と基準値情報の比率に応じて、携帯電話機１を近づけた場合には２倍モードと同様にズーム倍率を制御し、携帯電話機１を遠ざけたときについてもズーム倍率を上昇させる制御がなされるようになっている。具体的には、測定値情報と基準値情報の比率が１／２、１／４になるにつれ、すなわちユーザの顔がメインディスプレイ２３から遠くなるにつれ、ズーム倍率が８倍、１６倍となるように設定されている。また、メインディスプレイ２３のバックライト照度レベルとスピーカ４６の音量出力については、スタンダードモードと同様の制御率である。この老眼モードは、メインディスプレイ２３に表示されたデータを、携帯電話機１をユーザの顔に近づけたとき、および遠ざけたときにズーム倍率の上昇を望むユーザにとっては有効なモードである。
【００６６】
携帯電話機１は、このような各ズームモードを設けることにより、ユーザの好みに合ったズーム倍率制御を自動で行うことができる。携帯電話機１は、このようにズーム倍率を自動的に制御することで、ユーザがメインディスプレイ２３の表示が見にくいことを起因として、ユーザの顔とメインディスプレイ２３の距離を小さくする動作を行った場合には、この動作に連動してメインディスプレイ２３の表示をズームアップさせることができるため、操作性よくメインディスプレイ２３の視認性を向上させることができる。
【００６７】
また、図示はしないが、ユーザが任意に各値を設定できるオリジナルモードをさらに設けることができる。
【００６８】
これらのズームモードは、ユーザの顔とメインディスプレイ２３との距離により、メインディスプレイ２３に表示されたズーム倍率などが制御されればよい。すなわち、ユーザの顔とメインディスプレイ２３との距離が近づくにつれてメインディスプレイ２３に表示されたデータのズーム倍率を上昇させ、遠くなるにつれて低下させるズームモード（例えばスタンダードモード、２倍モード）であっても、ユーザの顔とメインディスプレイ２３との距離が近づいても遠くなってもズーム倍率を上昇させるズームモード（例えば老眼モード）であっても、ユーザの顔とメインディスプレイ２３との距離が近づくにつれてメインディスプレイ２３に表示されたデータのズーム倍率を低下させ、遠くなるにつれて上昇させるズームモードであってもよい。
【００６９】
この携帯電話機１によれば、ユーザとメインディスプレイ２３の距離に応じて、操作性よくメインディスプレイに表示されたデータの視認性を向上させることができる。すなわち、測定されたメインディスプレイ２３とユーザの顔との距離が、通常使用時の距離と差異が生じた場合には、自動的にメインディスプレイ２３に表示されたデータのズーム倍率を自動的に調整することができるため、ユーザの特段の操作を要することなく、視認性を向上させることができる。
【００７０】
なお、ユーザの顔とメインディスプレイ２３との距離を測定するために、内部ＣＣＤカメラ２６で撮影されたユーザの顔の輪郭周を用いたが、レーザ光やサブカメラの焦点などを利用して距離を測定してもよい。
【００７１】
また、本実施形態においては、図８に示す各テーブルは、測定値情報の輪郭周と基準値情報の輪郭周との比である、差異量としての「測定値／基準値」を飛び値として設け、ズーム倍率などを調整する例を説明した。これに限らず、得られた差異量としての輪郭周と基準値情報の輪郭周との比に基づき、連続的（比例的）に調整するようにしてもよい。
【００７２】
ズーム倍率など調整する「測定値／基準値」を飛び値として設けて調整した場合には、少しの手ブレによってもズーム倍率が変更されない点で有効である。「測定値／基準値」を連続値として設けて調整した場合には、少しの変化でもズーム倍率などに反映させることを所望するユーザにとっては有効である。
【００７３】
本発明は携帯電話機以外にもＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の携帯端末装置にも適用することができる。
【００７４】
さらに、本発明の各実施形態において説明した一連の処理は、ソフトウェアにより実行させることもできるが、ハードウェアにより実行させることもできる。
【００７５】
さらにまた、本実施形態では、フローチャートのステップは記載された順序に沿って時系列的に行われる処理の例を示したが、必ずしも時系列的に処理されなくとも、並列的あるいは個別実行される処理をも含むものである。
【符号の説明】
【００７６】
１  携帯電話機
１１  ヒンジ部
１２  第一の筐体
１３  第二の筐体
１４  操作キー
２３  メインディスプレイ
２４  マイクロフォン
２５  レシーバ
２６  内部ＣＣＤカメラ
２７  外部ＣＣＤカメラ
２８  サブディスプレイ
４１  制御部
４２  記憶部
４６  スピーカ
５１  ユーザ映像表示領域
５２  通話相手映像表示領域
５３  カーソル
【図１】
2010161724.tif 000003
【図２】
2010161724.tif 000004
【図３】
2010161724.tif 000005
【図４】
2010161724.tif 000006
【図５】
2010161724.tif 000007
【図６】
2010161724.tif 000008
【図７】
2010161724.tif 000009
【図８】
2010161724.tif 000010